(57)【要約】 【課題】角型ハンガー等に干した洗濯物をにわか雨や埃から防護し、人目につかないようにしつつ、洗濯物がよく乾き、取り扱いやすく、簡単にコンパクトに片付けられるカバーを提供する。      【解決手段】通気性、撥水性、不透視性を有する素材を使った平面状のカバーであって、中央部に骨格となるリングを持たせた。中心の穴から洗濯物を干した角型ハンガー等の掛止め金具を通してハンガーの上面を覆うとともに、ハンガーの周縁部位置から適宜な長さ垂れ下がらせ、その垂れ下がった部分が風等で簡単に翻らないように工夫したり裾に装置を施したりした。裾とリングの辺りとが接着可能な構成にして、取り外す時は裾を上げることでカバーが小さくなるようにした。そしてリングの裏の直径辺りに施したゴムひもを引っ張ってカバー側にまわすことによって、簡単にコンパクトに片付けることができる。      【選択図】      図２
2005319317.tif 000002
【特許請求の範囲】
【請求項１】
通気性、撥水性、不透視性を有する素材を使用した平面状のカバーであって、中央にその骨格となるリングを持ち、中心の穴から洗濯物を干した角型ハンガー等の掛止め金具を通してハンガーの上面を覆うとともに、ハンガーの周縁部位置から適宜な長さ垂れ下がらせ、その垂れ下がった部分が風等で簡単には翻らないように工夫したり裾に装置を施したりした洗濯物干しハンガーカバー。
【請求項２】
「請求項１」のカバーの裾と、リングもしくはその辺りとを接着あるいは結合可能な構成にしたことにより、カバーを取り外す時に裾を上げて小さくできることを特徴とする洗濯物干しハンガーカバー。
【請求項３】
リングの裏の直径辺りに施したゴムひも等を、「請求項２」で述べたように裾を上げたカバーの上にまわしてかけることで、簡単に、コンパクトに片付けられることを特徴とする洗濯物干しハンガーカバー。
【発明の詳細な説明】
【技術分野】
【０００１】
本発明は、通気性、撥水性、不透視性のある布を、洗濯物干しハンガーの上から全体を覆うようにかけて、にわか雨や埃から防護したり、他人の目につかないようにしたりするカバーに関するものである。
【背景技術】
【０００２】
従来の物干しハンガーカバーには、いろいろな物干しハンガーの形に合わせて、直方体や円筒形等、立体的に縫製されたカバーがある。(例えば、特許文献１参照。)
また、平面状の布で覆う構成のカバーがある。(例えば、特許文献２参照。)
【０００３】
【特許文献１】特開２０００−３５０８９９号
【特許文献２】特開２００４−１６０１３４号
【発明の開示】
【発明が解決しようとする課題】
【０００４】
以上に述べた特許文献１のカバーでは、成形されているため、風が吹いてもなびくことができず、洗濯物は乾きにくい。また、立体的に成形されていると他の形のハンガーには対応しにくいものである。特許文献２のカバーは、成形されていないので風になびくことができて乾きやすく、いろいろなハンガーに対応できるが、かなり大きな面積の布であり、ふにゃふにゃとして取り扱いにくく、裾にリングやひもが多用されているのでハンガーのピンチ等に引っ掛かって使いにくい。
【０００５】
本発明は、このような従来の構成が有していた問題を解決しようとするものであり、風を有効に利用できるということ、また、いろいろな形の物干しハンガーに対応できること、ハンガー自体が鎖やピンチ等を多用した複雑な物なので、単純なしくみにして引っ掛かりにくくするということ、大きな布を取り扱いやすくするということを目的とするものである。
【課題を解決するための手段】
【０００６】
そして、本発明は上記目的を達成するために、本体は通気性と撥水性と不透視性を有する素材から成る平面状のカバーとし、中央にその骨格となるリングを持ち、中心の穴から洗濯物を干した角型ハンガー等の掛止め金具を通してハンガーの上面を覆うとともに、ハンガーの周縁部位置から適宜な長さ垂れ下がらせ、その垂れ下がった部分が風等で簡単には翻らないように工夫したり裾に装置を施したりしたものである。
【０００７】
一例として、前記裾の装置等は、リングもしくはその辺りと接着あるいは結合でき、結果的にカバー本体を半分程度に小さくたためることとなり、取り外す時等の取り扱いが容易となる。そして、取り外した後、リングの裏に付けたゴムひもを引っ張って表にまわすとカバーはコンパクトに片付けられる構成にしたものである。
【発明の効果】
【０００８】
本発明の洗濯物干しハンガーカバーは、中央部に骨格ともいうべきリングを持っているので扱い易く、また裾の装置等により洗濯物を覆う機能が優れている。そして、裾とリングの辺りを接着あるいは結合可能にしたことで、半分程度にたためることとなり、取り外す時等の取り扱いが容易となる。そして、はずした後は、リングの裏に付けたゴムひも等を引っ張って表にまわすだけでカバーをコンパクトにできて、片付けが簡単で容易である。布は通気性と撥水性の良いものなので、カバーをかけていても洗濯物は乾きやすく、少々のにわか雨では濡れない。不透視性を有するので下着などを他人の目から防ぐことができる。平面の布で覆われているので、風に吹かれるとなびきやすいので、乾き易い。また、いろいろな形のハンガーに対応できる。
【発明を実施するための最良の形態】
【０００９】
以下、本発明の実施の形態を図面に基づいて説明する。
【００１０】
図１〜図３は本発明の第一の実施の形態に係り、図１はその平面図、図２はカバーとして使用中の外観図、図３は取り外そうとして裾を上にあげたところの外観図である。
【００１１】
図１〜図３に示すように、裾の四方につけた磁石が、鉄製のリングに、磁力で引き合う組み合わせにしてある。又、磁石はその重さが錘として作用し、少々風がふいても翻らないで覆う効果を発揮する。リングは布の中に縫いこまれているが、錆びる恐れがあるので、さび止めが必要である。
【００１２】
図４は、図３のカバーを物干しからはずして、裏の左側のゴムひもを引っ張って表にまわした後、右側のゴムひもも引っ張って表にまわしてコンパクトに片付けたところの図である。
【００１３】
図５は本発明の第２の実施の形態に係るカバーを使用中の外観図である。裾に付けた錘となる小さな輪を中央部のフック付リングのフックに引っ掛けてとめられるようにしたものである。この場合、リングはプラスチック製でも良い。
【００１４】
図６は本発明の第３の実施の形態に係るカバーを使用中の外観図である。布にしわ加工をほどこして、裾が自然にすぼまるようにしたものである。
【００１５】
以上、本発明の実施の形態及び実施例を説明したが、本発明の範囲はこれに限定されるものではない。例えば、スナップボタンやマジックテープ(登録商標)を応用した仕組み等も考えられる。本体の布の色を黒っぽくすれば吸熱性が増してよく乾くようになるだろう。カバーの上面にリトマス紙を装着すれば降り始めの雨をキャッチして酸性雨の状況を知ることにつながるだろう。裾と中央部の接着個所を4箇所と設定したが、状況によっては適宜増減するとよいだろう。
【図面の簡単な説明】
【００１６】
【図１】平面図(実施例１)
【図２】使用中の外観図(実施例１)
【図３】裾を上げた時の外観図(実施例１)
【図４】ゴムひもをまわして片付けた時の平面図(実施例１)
【図５】使用中の外観図(実施例２)
【図６】使用中の外観図(実施例３)
【符号の説明】
【００１７】
１  磁石
２  鉄製リング
３  ゴムひも
４  フック付リング
５  錘を兼ねた小さな輪
【図１】
2005319317.tif 000003
【図２】
2005319317.tif 000004
【図３】
2005319317.tif 000005
【図４】
2005319317.tif 000006
【図５】
2005319317.tif 000007
【図６】
2005319317.tif 000008